(57)【要約】【課題】ダンパー機構を小型化して、座支持軸に近接させてコンパクトに配置しうるようにし、座の上下寸法及びダンパー機構の収容空間を小さくしうるようにした座跳ね上げ式椅子を提供する。【解決手段】ダンパー機構５０を、座支持軸１０aの前方において座３の内部に前後方向を向くように設けられ、かつピストンロッド５１aを後向きに突出させてなるシリンダ式のダンパー５１と、座支持軸１０aを上方より跨ぐようにして、前端部がピストンロッド５１aの後端部に、後端部が座支持軸１０aの後面側に、それぞれ左右方向を向く枢軸６３、６０により、上下方向に回動可能に枢着されたリンクアームとからなるものとする。【選択図】  図１７
2010046252.tif 000002
【特許請求の範囲】
【請求項１】
左右の側脚に外側端部が回動不能に支持された左右方向を向く座支持軸により、両側脚間に配設された座を、ほぼ水平の使用位置と、上向きの不使用位置とに回動可能に支持し、かつ前記座を常時上向きに付勢する付勢手段と、座の上向き回動を緩やかとするダンパー機構とを備える座跳ね上げ式椅子において、
前記ダンパー機構は、前記座支持軸の前方において前記座の内部に前後方向を向くように設けられ、かつピストンロッドを後向きに突出させてなるシリンダ式のダンパーと、前記座支持軸を上方より跨ぐようにして、前端部が前記ピストンロッドの後端部に、後端部が前記座支持軸の後面側に、それぞれ左右方向を向く枢軸により、上下方向に回動可能に枢着されたリンクアームとを備えることを特徴とする座跳ね上げ式椅子。
【請求項２】
リンクアームを左右１対よりなるものとし、それらの前端部間において、ピストンロッドの後端部と、左右のリンクアームの前端部同士を、左右方向を向く枢軸により枢着してなる請求項１記載の座跳ね上げ式椅子。
【請求項３】
前部側の枢軸の両側端部を、座に固着したダンパー取付用のブラケットにおける左右１対の取付片に設けた前後方向を向く長孔に、摺動可能に嵌合してなる請求項２記載の座跳ね上げ式椅子。
【請求項４】
リンクアームを、側面視ほぼ下向きコ字状をなすものとして、その前端下部と後端下部とを、それぞれピストンロッドの後端部と座支持軸の後面側に枢着してなる請求項１〜３のいずれかに記載の座跳ね上げ式椅子。
【発明の詳細な説明】
【技術分野】
【０００１】
本発明は、例えば劇場や映画館、スタジアム等に設置される座跳ね上げ式の椅子に係わり、特に、座を緩やかに跳ね上げるダンパー機構を備える座跳ね上げ式椅子関する。
【背景技術】
【０００２】
このようなダンパー機構を備える座跳ね上げ式の従来の椅子としては、例えば特許文献１に記載されているものがある。
【特許文献１】特開平８−２９９０９５号公報
【発明の開示】
【発明が解決しようとする課題】
【０００３】
上記特許文献１に記載されている座跳ね上げ式椅子は、左右方向を向く座支持軸(水平軸)に固着された斜め後上方を向くアームに、座支持軸の前方において座の内部に設けた、前下方に傾斜するエアシリンダ式ダンパーにおけるピストンロッドの後端を枢着し、座を跳ね上げた際にピストンロッドがシリンダ内の空気を圧縮することにより、座を緩やかに跳ね上げうるようにしたものである。
【０００４】
このように、座支持軸にアームを斜め後上方を向くように固着し、このアームに、座支持軸の前方に配置したピストンロッドの後端を枢着すると、座の内部に、後上方を向くアームを収容するための大きな収容空間を確保しなければならず、座の上下寸法が大となる。
また、斜め後上方を向くアームに、ピストンロッドの後端を直接枢着すると、座を跳ね上げた際のピストンロッドのストロークが大となるので、そのストロークを確保するために、ピストンロッド及びシリンダの前後寸法を長くする必要がある。このようになると、ダンパーの全長が大となり、かつダンパーと座支持軸とが大きく離間することとなるので、座の内部に、ダンパー機構を収容する前後方向の大きな収容空間が必要となる。
【０００５】
本発明は、上記問題点に鑑みてなされたもので、ダンパー機構を小型化して、座支持軸に近接させてコンパクトに配置しうるようにし、座の上下寸法及びダンパー機構の収容空間を小さくしうるようにした座跳ね上げ式椅子を提供することを目的としている。
【課題を解決するための手段】
【０００６】
本発明によると、上記課題は、次の各項のようにして解決される。
（１）左右の側脚に外側端部が回動不能に支持された左右方向を向く座支持軸により、両側脚間に配設された座を、ほぼ水平の使用位置と、上向きの不使用位置とに回動可能に支持し、かつ前記座を常時上向きに付勢する付勢手段と、座の上向き回動を緩やかとするダンパー機構とを備える座跳ね上げ式椅子において、前記ダンパー機構は、前記座支持軸の前方において前記座の内部に前後方向を向くように設けられ、かつピストンロッドを後向きに突出させてなるシリンダ式のダンパーと、前記座支持軸を上方より跨ぐようにして、前端部が前記ピストンロッドの後端部に、後端部が前記座支持軸の後面側に、それぞれ左右方向を向く枢軸により、上下方向に回動可能に枢着されたリンクアームとを備えている。
【０００７】
このような構成とすると、リンクアームの前後の端部は、座支持軸を跨いで、前後方向を向くダンパーにおけるピストンロッドの後端部と、座支持軸の後面側に枢着されているので、ダンパーとリンクアームの前後の枢着部が、座支持軸を挟んで前後に並ぶようになる。従って、ダンパー機構の上下寸法が小さくなり、その収容空間も小さくて済むので、座の上下寸法を小とすることが可能となる。
また、ピストンロッドは、上向きに回動するリンクアームを介して往復移動させられるので、そのストロークが小さくなり、シリンダの全長の短い小型のダンパーを使用することができる。
その結果、ダンパー機構が小型化し、座支持軸に近接させてコンパクトに配置することができるとともに、座の内部に、ダンパー機構を収容する前後方向の大きな収容空間を確保する必要もない。
【０００８】
（２）上記(１)項において、リンクアームを左右１対よりなるものとし、それらの前端部間において、ピストンロッドの後端部と、左右のリンクアームの前端部同士を、左右方向を向く枢軸により枢着する。
【０００９】
このような構成とすると、左右１対のリンクアームにより、ピストンロッドを安定よく押動することができる。
【００１０】
（３）上記(２)項において、前部側の枢軸の両側端部を、座に固着したダンパー取付用のブラケットにおける左右１対の取付片に設けた前後方向を向く長孔に、摺動可能に嵌合する。
【００１１】
このような構成とすると、ピストンロッドを、軸方向に安定よく往復移動させることができる。
【００１２】
（４）上記(１)〜(３)項のいずれかにおいて、リンクアームを、側面視ほぼ下向きコ字状をなすものとして、その前端下部と後端下部とを、それぞれピストンロッドの後端部と座支持軸の後面側に枢着する。
【００１３】
このような構成とすると、ダンパーとリンクアームの前後の枢着部が、座支持軸を挟んでほぼ直線上に並ぶようになるので、ダンパー機構の上下寸法をより小さくすることができる。
【発明の効果】
【００１４】
本発明によれば、ダンパー機構の上下寸法が小さくなり、その収容空間も小さくて済むので、座の上下寸法を小とすることが可能となる。
また、ピストンロッドは、上向きに回動するリンクアームを介して往復移動させるので、そのストロークが小さくなり、シリンダの全長の短い小型のダンパーを使用することができる。
その結果、ダンパー機構を、座支持軸に近接させてコンパクトに配置することができ、かつ座の内部に、ダンパー機構を収容する前後方向の大きな収容空間を確保する必要もない。
【発明を実施するための最良の形態】
【００１５】
以下、本発明の実施形態を、図面に基づいて説明する。
図１は、劇場等で使用される本発明の座跳ね上げ式椅子の一実施形態の斜視図、図２は、同じく一部を切り欠いた正面図で、同形の３脚の座跳ね上げ式椅子１(以下、椅子と略称する)を、互いに左右方向に連結して構成されている。すなわち、各椅子１は、床面にアンカーボルトにより固定可能な互いに隣接する左右１対の側脚２、２と、それらの間に設けられた跳ね上げ可能な座３と、背凭れ４とからなっている。
【００１６】
座３は、図３の底面図、及び図３のVI-VI線縦断側面図に示すように(底面のカバー材を取外して示す)、底面視方形をなすように折曲された前後左右(図３の紙面上方が前)４枚の枠板５よりなり、かつ各枠板５上下両端に、短寸の内向きの折曲片５a、５bが形成された、上下両面が大きく開口する方形の座枠６を備え、図１及び図２に示すように、座枠６の下面の開口部は、その下面に取付けられたカバー材７により閉塞されている。座枠６における上側の前後の折曲片５a、５aには、座枠６の上面に装着されたクッション体８用の座スプリング９が複数取付けられている。
【００１７】
座枠６の後端部には、左右方向を向く座支持軸１０が、次のようにして取付けられている。
図３〜図６に示すように、座支持軸１０は、四角形断面の角管よりなる左右１対の軸部材１０a、１０aの対向端部同士を、上下１対の側面視下向き及び上向きコ字状の連結杆１１、１１により挟持して互いに連結することにより、分割構造とされている。なお、両連結杆１１は、軸部材１０aにがたなく外嵌しうるように、その外形と補形をなすコ字状断面とされている。
【００１８】
上下の連結杆１１、１１の両端部と、左右の軸部材１０a、１０aの対向端部とには、それぞれ左右２個ずつの上下方向を向く連結孔１２、１２が、互いに整合するようにして穿設され、上側の連結杆１１の両端部上面には、それに穿設した連結孔１２と同心をなす４個のナット１３が溶接されている。
【００１９】
左右の軸部材１０a、１０a同士を所要寸法離間させた状態で、それらの対向端部に、上下の連結杆１１、１１を、各連結孔１２同士が上下に整合するようにして嵌合したのち、下部の連結杆１１における連結孔１２の下方より挿入した固定ボルト１４を、両軸部材１０aの連結孔１２を貫通させて、上側の連結杆１１のナット１３に螺合することにより、左右の軸部材１０a同士が、相対回転不能、かつ分離可能として互いに連結され、かつこの連結により、実質的に一体をなすねじり剛性の高い座支持軸１０が形成される。なお、上記上下１対の連結杆１１、複数のナット１３、及び複数の固定ボルト１４により、連結手段が構成されている。
【００２０】
座枠６における左右の折曲片５a、５b間の後半部には、前後方向を向く上片１５aと、その両側縁より垂下する長寸の下向片１５b及び短寸の下向片１５cとよりなる正面視下向きコ字状の補強部材１５、１５が、上片１５aを上側の折曲片５aの下面に当接させて、外方の長寸の下向片１５bの前後２箇所が、左右の枠板５の内面にボルト１６とナット１７により固定されている。
左右の補強部材１５における上片１５aと外方の長寸の下向片１５bの前縁には、内向きの補強板１８が折曲形成され、両補強板１８は、後側の枠板５の内面に溶接されている。
【００２１】
図５に示すように、左右の軸部材１０a、１０aにおける外側端部の上面と後面には、鉄板を下向きコ字状に折曲して形成された座３の回動角度規制部材１９の両側片１９a、１９aの後部下縁が溶接されている。回動角度規制部材１９の上端面は、上記補強部材１５の上片１５aの下面に当接することにより、座３を、ほぼ水平の使用位置である下限の回動位置で停止させる下限ストッパ部２０とされ、また、内方の長寸とした側片１９aの後端は、補強部材の上片１５aの下面に当接することにより、座３を、斜前上方を向く不使用位置である上限の回動位置で停止させる上限ストッパ部２１とされている。
【００２２】
右方(図３の底面視において左方)の軸部材１０aには、座３を上向きに付勢するねじりコイルばね２２が遊嵌され、その一方に足片２２aは、回動角度規制部材１９の左右の側片１９aにおける軸部材１０aの直上に穿設された係止孔２３、２３に、内方より嵌合されている。ねじりコイルばね２２の他方の足片２２bは、そのばね力調整用の後記するばね力調整部材４０に係止されている。
【００２３】
左右の軸部材１０a、１０aの外側端部には、段付きブッシュ２４、２４が圧嵌され、両段付きブッシュ２４の小径部２４aは、図３に示すように、座枠６の左右の枠板５と、それに固着した補強部材１５の外方の下向片１５bの後部に穿設した支持孔２５に、内方より回動可能に嵌合されている。なお、左右の軸部材１０a、１０aに固着された回動角度規制部材１９、１９は、左右の補強部材１５、１５の上片１５aの直下に位置するようになっている。
【００２４】
左右の軸部材１０a、１０aの対向端間には、それらの外側端部を、段付きブッシュ２４と共に座枠６の枠板５と補強部材１５の下向片１５bより内方に抜き外し可能な隙間Ｓが形成されている。
【００２５】
このようにして、左右の軸部材１０a、１０aの段付きブッシュ２４を座枠６の両側端に嵌合したのち、それらの対向端部を、上述のようにして、上下の連結杆１１、１１により連結することにより、実質的に一体の座支持軸１０が構成され、座３は、左右の段付きブッシュ２４まわりに回動しうるようにして、座支持軸１０により支持される。
【００２６】
図７〜図９に示すように、左右の軸部材１０a、１０aにおける座枠６よりの突出端部は、互いに隣接する側脚２に、次のようにして固定されている。なお、両軸部材１０aの固定構造は、左右対称であるため、一方のみ説明する。
側脚２における前部側の上下方向の中央部内面には、膨出部２６が内向きに突設され、この膨出部２６には、軸部材１０aの側端部を回動不能に支持可能な内方に開口する側面視上向きコ字状の支持溝２７と、この支持溝２７の上方に連続して形成された後方に開口する、固定部材２８の挿入溝２９とが形成され、挿入溝２９の上面は、斜め前下方を向く傾斜面３０とされている。なお、図示は省略するが、互いに隣接する椅子１の対向端部同士を支持している中間部の側脚２には、その両側面に、上記と同様の支持溝２７と挿入溝２９を有する膨出部２６が形成されている。
【００２７】
図１０及び図１１に拡大して示すように、固定部材２８は、上記挿入溝２９に後方より挿入可能な上下寸法とされ、かつ上面には、上記傾斜面３０と同じ傾斜角度の傾斜面３１が形成されている。固定部材２８における側脚２と対向する内側面には、凹部３２が形成され、この凹部３２の奥面に形成された、内側方に開口する方形溝３３には、前後方向のめねじ孔３４を有するナット状部材３５が嵌合されている。固定部材２８の中央部には、前後方向を向く挿通孔３６が、ナット状部材３５のめねじ孔３４と同軸をなすようにして貫設されている。
【００２８】
軸部材１０aを側脚２に固定するには、軸部材１０a同士を連結杆１１により連結する前において、その軸端部を、膨出部２６の支持溝２７に内方より嵌合して支持したのち、支持溝２７の上方の挿入溝２９に、後方より固定部材２８を挿入し、上面の傾斜面３１を挿入溝２９の傾斜面３０に当接させるとともに、下面を軸部材１０aの上面に当接させる。
【００２９】
ついで、膨出部２６の前面に形成された大径の凹孔３７と、その奥面に穿設された前後方向を向くボルト挿通孔３８とに前方より挿入した固定ボルト３９を、固定部材２８の挿通孔３６に挿通して、ナット状部材３５のめねじ孔３４に螺合させ、強く締め付ける。すると、挿入溝２９の上面の傾斜面３０と、固定部材２８の上面の傾斜面３１との楔作用により、軸部材１０aの上面が固定部材２８により下方に強圧され、軸部材１０aの側端部が側脚２の内面に回動不能に強固に固定される。
固定ボルト３９を緩めれば、軸部材１０aの外端部を、側脚２の支持溝２７より内方に抜き外すことができる。
なお、左右の軸部材１０a同士を連結杆１１により連結したのち、両軸部材１０aの外側端部を、左右の側脚２の挿入溝２９の後方より挿入して、支持溝２７に落とし込み、後方より固定部材２８を挿入溝２９に挿入することにより、両軸部材１０aを側脚２に固定するようにしてもよい。
【００３０】
上記実施形態のように、座支持軸１０を、左右１対の軸部材１０a、１０aの対向端部同士を連結杆１１により連結した分割構造のものとし、かつ両軸部材１０aの対向端間に、それらの外側端部を座枠６より抜き外し可能な隙間Ｓを設け、さらに、両軸部材１０aの外端部を、側脚２の内側面に、内方に抜き外し可能に固定すると、座３を跳ね上げた状態で、連結杆１１を取外すことにより、左右の側脚２を床面に固定したまま、左右の軸部材１０aのみを座３より容易に取り外すことができるだけでなく、座３自体も、左右の側脚２より簡単に取り外すことができる。
【００３１】
従って、軸部材１０aの座枠６及び側脚２への組付作業はもとより、軸部材１０aへのねじりコイルばね２２や段付きブッシュ２４等の組付作業または交換等のメンテナンス作業などを容易に行うことができる。なお、上記実施形態では、左右の軸部材１０aを角管よりなるものとしたが、四角形以上の多角形断面をなすものとしてもよい。この際には、軸部材１０aの外形に合わせて、側脚２の膨出部２６に設けた支持溝２７の形状を変更すればよい。
【００３２】
また、軸部材１０aにおける側脚２に固定される外側端部のみを、上記の形状とし、他の部分は円形断面等としてもよい。
【００３３】
さらに、軸部材１０aにおける側脚２に固定される外側端部の上面、すなわち、固定部材２８により押圧される上面のみが平面をなす非円形断面としてもよい。この際にも、軸部材１０aの外側端部の外形に合わせて、側脚２の支持溝２７の形状を変更すればよい。
【００３４】
図３及びそのXII-XII線に沿う断面図である図１２に示すように、座支持軸１０と、座枠６における後部の枠板５の側端部との間には、上記ねじりコイルばね２２のばね力を調整する硬質合成樹脂製のばね力調整部材４０が、次のようにして設けられている。
【００３５】
ばね力調整部材４０は、外周面に、回転中心からの寸法が、側面視反時計まわりの円周方向に段階的に大となるように偏心させた４つの平坦面をなすカム面４１〜４４を有する非円形断面のカムをなし、外周面の中央部には、ねじりコイルばね２２の足片２２bを係止する凹溝４０aが形成されている。
【００３６】
ばね力調整部材４０には、回動操作軸４５における内側端部に形成された角軸部４５aが、相対回転不能に圧嵌され、回動操作軸４５におけるばね力調整部材４０より内方に突出する軸端部は、後部の枠板５の内面の補強板１８に溶接されたＬ字状のブラケット４６により、回動可能に支持されている。４７は、ブラケット４６の内方の軸端部に嵌合された平ワッシャ、４８は、平ワッシャ４７の抜け止めピンである。
【００３７】
回動操作軸４５の外側端部は、側方の枠板５と、それに固定された補強部材１５における外方の下向片１５bとに穿設した軸孔４９、４９に挿通されて、回動可能に支持されている。
回動操作軸４５における座枠６の外側方に突出する突出端部は、回動操作用の角軸部４５bとなっており、この角軸部４５bの端部を、図１６に示すように、座３の側端面より若干突出させておくことにより、側脚２と座３との間の隙間より挿入した工具を用いて、回動操作軸４５及びそれに圧嵌したばね力調整部材４０を、外部より容易に回動操作しうるようにしてある。
【００３８】
図１２に示すように、ねじりコイルばね２２の足片２２bは、ばね力調整部材４０のカム面４１に、初期ばね力を付与した状態で、円周方向に比較的長く接触するように係止され、これにより座３は、常時上向きに付勢されている。この状態から、ばね力調整部材４０を側面視時計方向に回動させ、図１３〜図１５に示すように、その回転中心からの寸法を段階的に大としたカム面４２、４３、４４により足片２２bを押圧することにより、ねじりコイルばね２２のばね力が段階的に大となり、ねじりコイルばね２２にへたりが生じた際などに、座３の上向き付勢力を正常に調整したり、座３の跳上がり速さを調整したりすることができる。
【００３９】
図３及び図１７に示すように、座枠６におけるねじりコイルばね２２と反対側の側端部内には、座３を緩やかに跳ね上げるダンパー機構５０が設けられている。
このダンパー機構５０は、公知（FUJI SEIKI製)の油圧シリンダ式のダンパー５１と、左右２個のリンクアーム５２、５２とを備えている
【００４０】
ダンパー５１は、合成樹脂製の左右１対のホルダ５３、５３の対向面の凹部内に、ピストンロッド５１aを後向きに突出した状態で収容され、この両ホルダ５３を、補強部材１５の下向片１５aの内面に溶接されたブラケット５４における前後方向を向く左右１対の取付片５４a、５４a間に挟入し、両側面から止めねじ５５により固定することにより、ダンパー５１は、そのピストンロッド５０aの後端が、軸部材１０aの直前に位置するようにして、ほぼ水平に設けられている。
【００４１】
リンクアーム５２、５２は、図５にも示すように、軸部材１０aを上方より跨ぎうるように、側面形が概ね下向きコ字状に形成され、それらの後端下部は、一方の軸部材１０aの後面に溶接された後面視上向きコ字状の枢支部材５６に、上下方向に回動可能に枢着されている。すなわち、両リンクアーム５２の後端下部を、枢支部材５６の両上向片５６a、５６a間に、スペーサ５７を介して挟入したのち、両リンクアーム５２とスペーサ５７に設けた左右方向を向く通孔５８に、一方の上向片５６aに穿設された軸孔５９より挿入したピン６０を挿通し、ピン６０の先端部のおねじ部を、他方の上向片５６aに設けためねじ孔６１に螺合することにより、左右のリンクアーム５２、５２の後端下部は、軸部材１０aを跨いで、その後面側に枢着されている。
【００４２】
左右のリンクアーム５２、５２の前端下部は、次のようにして、ダンパー５１のピストンロッド５１aに連係されている。
両リンクアーム５２の前端下部と、それらの間に挟入したスペーサ６２とに設けた左右方向を向く通孔５８に、ピン６３を挿通するとともに、スペーサ６２の前面に形成された有底の凹部６４に、ピストンロッド５１aの後端部の大径部６５の後端部を嵌合することにより、両リンクアーム５２の前端下部は、ピストンロッド５１aの後端部に、ピン６３を介して、上下に回動可能に連係されている。
なお、このような連係形態に代えて、ピストンロッド５１aの後端にスペーサ６２を一体的に設け、ピストンロッド５１aの後端部を左右のリンクアーム５２、５２間の前端下部に、ピン６３により直接枢着してもよい。
ピン６３の両側端部は、ブラケット５４の両取付片５４aの後端部に形成された前後方向を向く長孔６６に、前後方向に摺動可能に嵌合されている。
【００４３】
図１７に示すように、座３がほぼ水平の使用位置にあるときには、両リンクアーム５２は、軸部材１０aを跨いで前後方向を向き、かつダンパー５１のピストンロッド５１aは伸長している。この状態から、座３を跳ね上げると、図１８に示すように、リンクアーム５２が、後部側の枢着部を中心として、クッション体８側に回動させられ、ピストンロッド５１aとの枢着部が、軸部材１０aから離間する前方に徐々に変異することにより、ピストンロッド５１aは縮退させられ、ダンパー５１内のオイルがオリフィスより少しずつ排出されることにより、座３は緩やかに跳ね上がるようになる。
【００４４】
このように、ダンパー５１をほぼ水平として座３に固定し、そのピストンロッド５１aの後端を、座支持軸１０の一部である軸部材１０aを跨ぐようにして、後端が軸部材１０aの後面側に枢着されたリンクアーム５２の前端に枢着すると、ダンパー５１と前後の枢着部が、軸部材１０aを挟んで概ね水平な直線上に並ぶので、ダンパー機構５０の上下寸法が小さくなり、その収容空間も小さくて済むので、座３の上下寸法を小とすることが可能となる。
【００４５】
また、ピストンロッド５１aは、上向きに回動するリンクアーム５２を介して往復移動させられるので、ピストンロッド５１aのストロークが小さくなり、シリンダの全長の短い小型のダンパー５１を使用することができる。
【００４６】
さらに、小型のダンパー５１を、座支持軸１０に接近させうるので、ダンパー機構５０を、座支持軸１０に近接させてコンパクトに配置することができるとともに、座３の内部に前後方向の大きな収容空間を確保する必要もない。
【図面の簡単な説明】
【００４７】
【図１】本発明の座跳ね上げ式椅子の一実施形態の斜視図である。
【図２】同じく、一部切欠き正面図である。
【図３】同じく、カバー材を取外した状態の座の拡大底面図である。
【図４】図３のIV-IV線拡大縦断側面図である。
【図５】座支持軸と、それに組み付けられる部材の分解斜視図である。
【図６】図３のVI-VI線拡大縦断側面図である。
【図７】側脚と、それへの軸部材固定前の分解斜視図である。
【図８】同じく、軸部材固定後の分解斜視図である。
【図９】図８のIX-IX線拡大縦断側面図である。
【図１０】固定部材の拡大側面図である。
【図１１】図１０のXI-XI線縦断側面図である。
【図１２】図３のXII-XII線拡大縦断側面図である。
【図１３】同じく、ばね力調整部材を回動したときの図３と同部位の縦断側面図である。
【図１４】同じく、ばね力調整部材をさらに回動したときの図３と同部位の縦断側面図である。
【図１５】同じく、ばね力調整部材をさらに回動したときの図３と同部位の縦断側面図である。
【図１６】椅子の一方の側脚を取り外して示す斜視図である。
【図１７】図３のXVII-XVII線拡大縦断側面図である。
【図１８】同じく、座を跳ね上げたときの図３と同部位の縦断側面図である。
【符号の説明】
【００４８】
１    座跳ね上げ式椅子
２    側脚
３    座
４    背凭れ
５    枠板
５a   折曲片
５b   折曲片
６    座枠
７    カバー材
８    クッション体
９    座スプリング
１０  座支持軸
１０a 軸部材
１１  連結杆
１２  連結孔
１３  ナット
１４  固定ボルト
１５  補強部材
１５a 上片
１５b 下向片
１５c 下向片
１６  ボルト
１７  ナット
１８  補強板
１９  回動角度規制部材
１９a 側片
２０  下限ストッパ部
２１  上限ストッパ部
２２  ねじりコイルばね
２２a 足片
２２b 足片
２３  係止孔
２４  段付きブッシュ
２４a 小径部
２５  支持孔
２６  膨出部
２７  支持溝
２８  固定部材
２９  挿入溝
３０  傾斜面
３１  傾斜面
３２  凹部
３３  方形溝
３４  めねじ孔
３５  ナット状部材
３６  挿通孔
３７  凹孔
３８  ボルト挿通孔
３９  固定ボルト
４０  ばね力調整部材
４０a 凹溝
４１  カム面
４２  カム面
４３  カム面
４４  カム面
４５  回動操作軸
４５a 角軸部
４５b 角軸部
４６  ブラケット
４７  平ワッシャ
４８  抜け止めピン
４９  軸孔
５０  ダンパー機構
５１  ダンパー
５１a ピストンロッド
５２  リンクアーム
５３  ホルダ
５４  ブラケット
５４a 取付片
５５  止めねじ
５６  枢支部材
５６a 上向片
５７  スペーサ
５８  通孔
５９  軸孔
６０  ピン(枢軸)
６１  めねじ孔
６２  スペーサ
６３  ピン(枢軸)
６４  凹部
６５  大径部
６６  長孔
Ｓ    隙間
【図１】
2010046252.tif 000003
【図２】
2010046252.tif 000004
【図３】
2010046252.tif 000005
【図４】
2010046252.tif 000006
【図５】
2010046252.tif 000007
【図６】
2010046252.tif 000008
【図７】
2010046252.tif 000009
【図８】
2010046252.tif 000010
【図９】
2010046252.tif 000011
【図１０】
2010046252.tif 000012
【図１１】
2010046252.tif 000013
【図１２】
2010046252.tif 000014
【図１３】
2010046252.tif 000015
【図１４】
2010046252.tif 000016
【図１５】
2010046252.tif 000017
【図１６】
2010046252.tif 000018
【図１７】
2010046252.tif 000019
【図１８】
2010046252.tif 000020